(57)【要約】【課題】つまみの操作に対する負荷が不連続に変化する範囲において不安定な信号が発生することを防止できる調整装置と、そのような調整装置を用いて画質調整を行う表示装置を提供する。【解決手段】つまみ５０１の回転に応じて変化する信号Ｓ１が、可変抵抗器４０１等を用いて生成される。また、つまみ５０１の回転角が所定の範囲（Ｐ２〜Ｐ３）にあるとき、つまみ５０１の回転操作に対する負荷の不連続な変化（クリック）が発生する。信号Ｓ１は、クリックが発生しない回転角の範囲（Ｐ１〜Ｐ２，Ｐ３〜Ｐ４）において、つまみの回転操作に応じて変化する信号Ｓ２に変換され、クリックが生じる回転角の範囲（Ｐ２〜Ｐ３）においては、つまみの回転操作に依らず一定値Ｃ２の信号Ｓ２に変換される。【選択図】      図７
2006295052.tif 000002
【特許請求の範囲】
【請求項１】
つまみの操作により調整可能な信号を発生する調整装置であって、
前記つまみの操作に応じて変化する第１の信号を発生する信号発生手段と、
前記つまみの操作量が所定の範囲にあるとき、前記つまみの操作に対する負荷を不連続に変化させるクリック手段と、
前記信号発生手段において発生する前記第１の信号を、前記つまみの操作に応じて変化する第２の信号に変換し、前記つまみの操作量が前記所定の範囲にあるときは、前記第１の信号を前記つまみの操作に応じて変化しない所定の値の信号に変換する信号変換手段と
を有する調整装置。
【請求項２】
前記信号変換手段は、前記つまみの操作量が前記所定の範囲に隣接する第１の範囲にあるとき、第１の関数に基づいて前記第１の信号を前記第２の信号に変換し、前記つまみの操作量が前記所定の範囲に隣接する第２の範囲にあるとき、第２の関数に基づいて前記第１の信号を前記第２の信号に変換する、
請求項１に記載の調整装置。
【請求項３】
前記第１の関数は、前記つまみの操作量が前記所定の範囲および前記第１の範囲の境界にある場合、前記第１の信号を前記所定の値の信号に変換し、前記つまみの操作量が前記第１の範囲における他方の境界にある場合、前記第１の信号を所定の最小値の信号に変換し、
前記第２の関数は、前記つまみの操作量が前記所定の範囲および前記第２の範囲の境界にある場合、前記第１の信号を前記所定の値の信号に変換し、前記つまみの操作量が前記第２の範囲における他方の境界にある場合、前記第１の信号を所定の最大値の信号に変換する、
請求項２に記載の調整装置。
【請求項４】
前記クリック手段は、
摺動面が設けられた基板と、
前記摺動面に当接し、前記つまみの操作に伴い前記摺動面と摺動する摺動部と、
前記つまみの操作量が前記所定の範囲にあるときに前記摺動部と当接する、前記摺動面に設けられた段差部と
を有する、
請求項１に記載の調整装置。
【請求項５】
画像表示部と、
つまみの操作により調整可能な信号を発生する調整部と、
前記調整部が発生する信号に基づいて前記画像表示部の画質を変化させる制御部と
を具備し、
前記調整部は、
前記つまみの操作に応じて変化する第１の信号を発生する信号発生手段と、
前記つまみの操作量が所定の範囲にあるとき、前記つまみの操作に対する負荷を不連続に変化させる負荷手段と、
前記信号発生手段において発生する前記第１の信号を、前記つまみの操作に応じて変化する第２の信号に変換し、前記つまみの操作量が前記所定の範囲にあるときは、前記第１の信号を前記つまみの操作に応じて変化しない所定の値の信号に変換する信号変換手段と
を有する
表示装置。
【発明の詳細な説明】
【技術分野】
【０００１】
本発明は、つまみの操作により調整可能な信号を発生する調整装置と、調整装置が発生する信号により画質等の調整を行うことが可能な表示装置に関するものである。
【背景技術】
【０００２】
ユーザーインターフェイスとして古くから使われている回転式の調整装置（以降、ボリュームと呼ぶことがある）は、調整量を感覚的に把握し易いなどの優れた人間工学的特徴を有している。そのため、今日のようにデジタル化が進んだ時代でも、回転式ボリュームは種々の産業分野において広く使用されている（特許文献１を参照）。例えば、業務用のテレビジョンモニタでは、フェーズ（色相）、クロマ（彩度）、コントラスト、輝度などの画質調整に回転式ボリュームが使用されている。
【０００３】
一般的な回転式ボリュームは、例えば、軸の回転により抵抗値が変化する可変抵抗器を備えている。可変抵抗器の両端に一定の直流電圧を印加すると、その摺動端子からは軸の回転角に応じた直流電圧を発生する。この直流電圧をアナログ−デジタル変換器でデジタル信号に変換することによって、軸の回転角に応じたデジタル信号を得ることができる。
【特許文献１】特開２００２−２６７４３９号公報
【発明の開示】
【発明が解決しようとする課題】
【０００４】
回転式ボリュームを用いて基準値に対する正／負の調整を行う場合、通常は、基準となる中点に対してつまみを左右に回転させて使用する。この場合、つまみの回転角が中点にあるか否かをユーザが把握する必要があるため、一般には、ボリュームの取付けパネルとつまみにそれぞれ目印を付けて、つまみの回転角を視覚的に表している。
【０００５】
他方、中点付近におけるつまみの操作感覚を不連続に変化させることにより、つまみの回転角を表すボリュームもある。このようなボリュームには、例えば、つまみの回転角が中点付近を通過する際に、つまみの回転操作の負荷を不連続に変化させる機構（クリック機構）が設けられている。これにより、ユーザは手元の感覚だけでつまみの回転角を把握できるため、視覚的に回転角を把握する方法よりも更に操作性が向上する。
【０００６】
ところが、可変抵抗器の抵抗値は比較的大きなバラツキがある。そのため、クリック機構が作動する機械的な中点におけるボリュームの出力信号は、理論的な中心値からずれを生じている。通常は、このようなずれを補正するため、ボリュームの出力信号に対してキャリブレーションが行われる。すなわち、つまみの回転角とボリュームの出力信号との関係が何点か測定され、その測定結果に基づいて、ボリュームの出力信号をつまみの回転角に応じた適切な信号に変換する関数が決定される。可変抵抗器で発生する信号をこの関数に基づいて変換したものが、ボリュームの出力信号として扱われる。
【０００７】
図８は、一般的なクリック機構付きの回転式ボリュームにおいて出力信号を変換する関数の一例を示す図である。
図８に示すグラフにおいて、横軸は可変抵抗器で発生する信号Ｓ１を示し、縦軸はボリュームの出力信号Ｓ２を示す。
【０００８】
可変抵抗器で発生する信号Ｓ１は、例えばつまみを反時計方向に回し切ったときに最小値Ｍｎ１、つまみを時計方向に回し切ったときに最大値Ｍｘ１、クリック機構が作動する中点において値Ｃ１を有する。
他方、ボリュームの出力信号Ｓ２は、理想値として、つまみを反時計方向に回し切ったときに最小値‘Ｍｎ２’、つまみを時計方向に回し切ったときに最大値‘Ｍｘ２’、クリック機構が作動する中点において値Ｃ２を有する。
この場合、‘Ｍｎ１≦Ｓ１≦Ｃ１’の範囲においては、例えば次式に示す直線関数が用いられる。
【０００９】
［数１］
Ｓ２＝（Ｃ２−Ｍｎ２）×（Ｓ１−Ｍｎ１）／（Ｃ１−Ｍｎ１）＋Ｍｎ２  ・・・（１）
【００１０】
また、‘Ｃ１≦Ｓ１≦Ｍｘ１’の範囲においては、例えば次式に示す直線関数が用いられる。
【００１１】
［数２］
Ｓ２＝（Ｍｘ２−Ｃ２）×（Ｓ１−Ｃ１）／（Ｍｘ１−Ｃ１）＋Ｃ２  ・・・（２）
【００１２】
式（１）および式（２）に示すように、クリック機構付きの回転式ボリュームにおいて出力信号を変換する関数は、一般に、クリック機構が作動する点（以降、クリック点と呼ぶことがある）において可変抵抗器が発生する信号Ｓ１の値Ｃ１を用いて決定される。
【００１３】
しかしながら、機械的な精度の問題から、クリック点を厳密に一点に定めることは困難であり、実際にはある程度の「あそび」が生じる。そのため、つまみをクリック点に合わせても、この「あそび」の存在によってつまみの回転角を正確に中点に合わせることができず、ボリュームの出力信号Ｓ２が中心値からぶれてしまうという不都合がある。
【００１４】
また、一般にクリック機構は、通常の区間から上述の「あそび」区間へ遷移する間に機械的に不安定な遷移区間を有しており、この遷移区間につまみを留めておくことは困難である。そのため、遷移区間においてボリュームから出力される信号は不安定になり、機器の調整には使用できない。すなわち、クリック点の両側では、機器の調整に使用できない不安定な信号が発生するという不都合がある。
【００１５】
本発明はかかる事情に鑑みてなされたものであり、その目的は、つまみの操作に対する負荷が不連続に変化する範囲において不安定な信号が発生することを防止できる調整装置と、そのような調整装置を用いて画質調整を行う表示装置を提供することにある。
【課題を解決するための手段】
【００１６】
本発明の第１の観点は、つまみの操作により調整可能な信号を発生する調整装置に関するものであり、この調整装置は、前記つまみの操作に応じて変化する第１の信号を発生する信号発生手段と、前記つまみの操作量が所定の範囲にあるとき、前記つまみの操作に対する負荷を不連続に変化させるクリック手段と、前記信号発生手段において発生する前記第１の信号を、前記つまみの操作に応じて変化する第２の信号に変換し、前記つまみの操作量が前記所定の範囲にあるときは、前記第１の信号を前記つまみの操作に応じて変化しない所定の値の信号に変換する信号変換手段とを有する。
【００１７】
なお、ここで述べる「つまみの操作」は、つまみに機械的な変位をもたらす操作を示す。例えばつまみを回転させる操作やつまみを移動させる操作などが「つまみの操作」に含まれる。
また、ここで述べる「つまみの操作量」は、上述したつまみの操作によってもたらされる、所定の基準点に対するつまみの機械的変位の大きさを示す。例えば、ある基準点からのつまみの回転角や移動距離などが「つまみの操作量」に含まれる。
【００１８】
本発明の第２の観点に係る表示装置は、画像表示部と、つまみの操作により調整可能な信号を発生する調整部と、前記調整部が発生する信号に基づいて前記画像表示部の画質を変化させる制御部とを具備し、前記調整部として、前記第１の観点の調整装置を有する。
【００１９】
本発明によると、前記つまみの操作に応じて変化する第１の信号は、前記信号変換手段において、前記つまみの操作に応じて変化する第２の信号に変換される。ただし、前記つまみの操作に対する負荷が不連続に変化する前記所定の範囲に前記つまみの操作量があるとき、前記第１の信号は、前記つまみの操作に応じて変化しない所定の値の信号に変換される。
【００２０】
好適には、前記信号変換手段は、前記つまみの操作量が前記所定の範囲に隣接する第１の範囲にあるとき、第１の関数に基づいて前記第１の信号を前記第２の信号に変換し、前記つまみの操作量が前記所定の範囲に隣接する第２の範囲にあるとき、第２の関数に基づいて前記第１の信号を前記第２の信号に変換する。
この場合、前記第１の関数は、前記つまみの操作量が前記所定の範囲および前記第１の範囲の境界にある場合、前記第１の信号を前記所定の値の信号に変換し、前記つまみの操作量が前記第１の範囲における他方の境界にある場合、前記第１の信号を所定の最小値の信号に変換しても良い。また、前記第２の関数は、前記つまみの操作量が前記所定の範囲および前記第２の範囲の境界にある場合、前記第１の信号を前記所定の値の信号に変換し、前記つまみの操作量が前記第２の範囲における他方の境界にある場合、前記第１の信号を所定の最大値の信号に変換しても良い。
【００２１】
また、前記クリック手段は、摺動面が設けられた基板と、前記摺動面に当接し、前記つまみの操作に伴い前記摺動面と摺動する摺動部と、前記つまみの操作量が前記所定の範囲にあるときに前記摺動部と当接する、前記摺動面に設けられた段差部とを有しても良い。
【発明の効果】
【００２２】
本発明によれば、つまみの操作に対する負荷が不連続に変化する範囲において、つまみの操作に応じて変化しない所定の値の信号を発生するため、この範囲において不安定な信号が発生することを防止できる。また、これにより、画質の調整が行いやすくなる。
【発明を実施するための最良の形態】
【００２３】
図１は、本発明の実施形態に係る表示装置を正面から見た場合の外観の一例を示す図である。
図１に示す表示装置１は、その正面の中央部に、液晶表示パネルや有機ＥＬパネル等の表示部の画面２が配設されており、その画面２の下側には、画質調整用の回転式ボリュームのつまみ５Ａ〜５Ｄと、表示装置１の各種制御に使用される操作キー群４と、電源スイッチ３とが配設されている。
【００２４】
回転式ボリュームのつまみ５Ａ〜５Ｄは、それぞれ、フェーズ（色相）、クロマ（彩度）、コントラスト、輝度の調整に使用される。
【００２５】
図２は、表示装置１の構成の一例を示す図である。
図２に示す表示装置１は、制御部１０と、画像表示部２０と、記憶部３０と、操作部４０と、インターフェース部５０とを有する。
制御部１０は、本発明の制御部の一例である。
画像表示部２０は、本発明の画像表示部の一例である。
【００２６】
制御部１０は、表示装置１の全体的な動作に係わる種々の制御や処理を実行する。
例えば、制御部１０は、インターフェース部５０から入力される画像信号に所定の画像信号処理を施し、所定のフォーマットの画像信号に変換して画像表示部２０に供給する。また、操作部４０から入力される各種の命令や信号に従って、画像表示部２０における画像の表示形式の設定や画質の調整等を行う。
【００２７】
制御部１０は、例えばコンピュータを含んでおり、記憶部３０に格納されるプログラム・コードを読み込んで、これに従った処理を実行する。
【００２８】
画像表示部２０は、例えば液晶表示パネルや有機ＥＬパネル、ＣＲＴなどの表示デバイスによって構成されており、制御部１０から供給される画像信号に応じた動画や静止画の画像を表示する。
【００２９】
記憶部３０は、制御部１０の処理の過程で生成される一時的なデータや、処理に利用される定数データ、制御部１０のコンピュータプログラム・コードなどを記憶する。
例えば、記憶部３０は、後述する調整部（図３）の信号変換部４０４において用いられる定数データを格納する。
【００３０】
操作部４０は、図１に示す回転式ボリューム５Ａ〜５Ｄや操作キー群４、電源スイッチ３などの操作機構に対するユーザの操作に応じて、表示装置１を制御するための命令や調整用の信号を発生する。
【００３１】
インターフェース部５０は、アナログ信号やデジタル信号として入力される各種のフォーマットの画像信号を入力し、制御部１０に供給する。
【００３２】
図３は、本実施形態に係る調整装置の構成の一例を示す図であり、回転式ボリュームに適用された調整装置の一例を示す。
操作部４０は、図３に示す回転式ボリュームを例えば４つ有しており、この４つの回転式ボリュームがつまみ（５Ａ〜５Ｄ）の回転操作に応じた信号Ｓ２をそれぞれ発生する。
【００３３】
図３に示す回転式ボリュームは、可変抵抗器４０１と、定電圧源４０２と、アナログ−デジタル変換器４０３と、信号変換部４０４とを有する。
可変抵抗器４０１、定電圧源４０２およびアナログ−デジタル変換器４０３を含む回路は、本発明の信号発生手段の一例である。
信号変換部４０４は、本発明の信号変換手段の一例である。
【００３４】
可変抵抗器４０１は、一定の抵抗値を有する抵抗体４０１Ａと、この抵抗体４０１Ａに当接し、つまみの回転操作に応じて抵抗体４０１Ａと摺動する接点部４０１Ｂとを有する。
抵抗体４０１ＡはノードＮ１とノードＮ２との間に接続され、接点部４０１ＢはノードＮ３に接続される。
つまみの回転操作に応じて接点４０１Ｂが抵抗体４０１Ａの表面を摺動すると、ノードＮ１−Ｎ３間の抵抗値とノードＮ３−Ｎ２間の抵抗値との比が変化する。
【００３５】
定電圧源４０２は、一定の電圧をノードＮ１−Ｎ２間に印加する。
【００３６】
アナログ−デジタル変換器４０３は、ノードＮ３とノードＮ１との間に発生する電圧Ｓｐをデジタルの信号Ｓ１に変換する。
【００３７】
信号変換部４０４は、アナログ−デジタル変換器４０３から出力される信号Ｓ１を、つまみの回転操作に応じて変化する信号２に変換する。ただし、つまみの回転角が所定の範囲にあるときは、信号Ｓ１をつまみの操作に応じて変化しない所定の値Ｃ２の信号Ｓ２に変換する。
【００３８】
上記所定の範囲では、次に述べる図４に示すような機構の働きによって、つまみの回転操作に対する負荷が不連続に変化する。以降では、この負荷の不連続な変化のことを‘クリック’と呼ぶことがある。
【００３９】
ここで、上述のクリックを発生する機構について、図４〜図６を参照しながら説明する。
【００４０】
図４および図５は、図３に示す回転式ボリュームの機械的な構造の一例を示す図である。
図４は、可変抵抗器４０１の回転軸５０７の中心に沿って回転式ボリュームを切断したときの断面を表す。図５は、図４に示す断面の一部を拡大した図である。
【００４１】
図４および図５に示す構造において、基板５０２は、本発明の基板の一例である。
基板５０２の表面５０３は、本発明の摺動面の一例である。
摺動部５０４は、本発明の摺動部の一例である。
段差部５０５Ａおよび５０５Ｂは、それぞれ本発明の段差部の一例である。
【００４２】
可変抵抗器４０１は、図示しない固定具によって基板５０２の裏面５０３Ｂに固定されている。可変抵抗器４０１の回転軸５０７は、基板５０２に設けられた穴５０６を貫通し、基板５０２の表面５０３Ａに突出している。つまみ５０１は、この回転軸５０７の突出した部分に固定されている。
【００４３】
つまみ５０１によって覆われている基板５０２の表面５０３には、回転軸５０７の中心から所定の距離だけ離れた位置に凹部５０５が形成されている。また、表面５０３に対向するつまみ５０１の面５０８には、回転軸５０７の中心から上記所定の距離だけ離れた位置にガイド部５０９が形成されている。ガイド部５０９は、表面５０３Ａに対して垂直な方向に掘られた窪みであり、この窪みに沿って摺動部５０４が図の上下に移動する。摺動部５０４の底面とガイド部５０９の底面との間にはバネ５１０が挟まれており、摺動部５０４を表面５０３Ａに向かって垂直方向に付勢する。
【００４４】
摺動部５０４は、バネ５１０の付勢によって表面５０３Ａに押し当てられている。そのため、つまみ５０１を回転させると、摺動部５０４は表面５０３Ａに当接しながら円を描いて摺動する。この円の軌道上には凹部５０５が形成されているため、つまみ５０１の回転角が所定の範囲に入ると、摺動部５０４は凹部５０５の段差部５０５Ａ若しくは５０５Ｂに当接する。摺動部５０４はバネ５１０によって表面５０３Ａに押し当てられているため、段差部５０５Ａ若しくは５０５Ｂに当接すると、その斜面を滑り落ちる方向に回転力が働く。その結果、この所定の範囲においては、つまみ５０１の回転操作に対する負荷が不連続に変化する。
【００４５】
図６は、クリックが発生する回転角の範囲の一例を図解した図である。
回転角が‘Ｐ１’から‘Ｐ２’の範囲（第１の範囲）にある場合ならびに‘Ｐ３’から‘Ｐ４’の範囲（第２の範囲）にある場合、摺動部５０４は表面５０３Ａを一定の負荷で摺動する。
一方、回転角が‘Ｐ２’から‘Ｐ３’の範囲にある場合、摺動部５０４は凹部５０５に落ち込む。
【００４６】
回転角Ｐ２〜Ｐ３の範囲において、‘Ａ１’および‘Ａ２’は、摺動部５０４が斜面５０５Ａ，５０５Ｂを滑り落ちる区間を示している。また、‘Ａ３’は、摺動部５０４がこの斜面を下りきって底面５０５Ｃに当接する区間を示している。
区間Ａ１およびＡ２では、摺動部５０４に対して凹部５０５の底面５０５Ｃに滑り落ちようとする力が働く。そのため、つまみ５０１の回転角がこれらの区間を通過するとき、負荷の不連続な変化、すなわちクリックが生じる。区間Ａ１およびＡ２は、機械的に不安定な区間であり、回転角をこの区間に安定に留めておくことはできない。そのため、つまみ５０１を区間Ａ１およびＡ２に合わせても、回転角は区間Ａ３に落ち着く。
【００４７】
以上、本実施形態においてクリックが発生する機構とその働きを説明した。
信号変換部４０４は、このようなクリックを生じる範囲（Ｐ２〜Ｐ３）につまみ５０１の回転角があるとき、次の図７に示すように、つまみ５０１の回転操作に関わらず信号Ｓ２を一定の値Ｃ２に保持する。
【００４８】
図７は、信号変換部４０４において信号を変換する関数の一例を示す図である。横軸は信号Ｓ１を示し、縦軸は信号Ｓ２を示す。
【００４９】
図７の例において、回転角がそれぞれ‘Ｐ１’，‘Ｐ２’，‘Ｐ３’，‘Ｐ４’のとき（図６参照）、アナログ−デジタル変換器４０３の出力信号Ｓ１の値はそれぞれ‘Ｍｎ１’，‘Ｃｐ１’，‘Ｃｐ２’，‘Ｍｘ１’になっている。値Ｍｎ１は信号Ｓ１の最小値であり、値Ｍｘ１は信号Ｓ１の最大値である。
信号変換部４０４は、信号Ｓ１の値が‘Ｍｎ１’，‘Ｃｐ１’，‘Ｃｐ２’，‘Ｍｘ１’のとき、信号Ｓ２の値をそれぞれ‘Ｍｎ２’，‘Ｃ２’，‘Ｃ２’，‘Ｍｘ２’に設定する。
【００５０】
‘Ｍｎ１≦Ｓ１≦Ｃｐ１’のとき、信号変換部４０４は、例えば次式に示す直線関数（第１の関数）に基づいて信号Ｓ１を信号Ｓ２に変換する。
【００５１】
［数３］
Ｓ２＝（Ｃ２−Ｍｎ２）×（Ｓ１−Ｍｎ１）／（Ｃｐ１−Ｍｎ１）＋Ｍｎ２  ・・（３）
【００５２】
また‘Ｃｐ２≦Ｓ１≦Ｍｘ１’のとき、信号変換部４０４は、例えば次式に示す直線関数（第２の関数）に基づいて信号Ｓ１を信号Ｓ２に変換する。
【００５３】
［数４］
Ｓ２＝（Ｍｘ２−Ｃ２）×（Ｓ１−Ｃｐ２）／（Ｍｘ１−Ｃｐ２）＋Ｃ２  ・・・（４）
【００５４】
他方、‘Ｃｐ１≦Ｓ１≦Ｃｐ２’のとき、信号変換部４０４は、次式に示すように信号Ｓ２を一定の値Ｃ２に保持する。
【００５５】
［数５］
Ｓ２＝Ｃ２  ・・・（５）
【００５６】
すなわち信号変換部４０４は、つまみ５０１の回転角が‘Ｐ１’〜‘Ｐ２’の範囲にあるとき、第１の関数（式（３））に基づいて信号Ｓ１を信号Ｓ２に変換し、つまみ５０１の回転角が‘Ｐ３’〜‘Ｐ４’の範囲にあるとき、第２の関数（式（４））に基づいて信号Ｓ１を信号Ｓ２に変換する。
一方、つまみ５０１の回転角が‘Ｐ２’〜‘Ｐ３’の範囲にあるときは、信号Ｓ２を一定の値Ｃ２に保持する。
【００５７】
第１の関数（式（３））は、つまみ５０１の回転角を実際に‘Ｐ１’，‘Ｐ２’に合わせたときに発生する信号Ｓ１の値‘Ｍｎ１’，‘Ｃｐ１’と、既定の値‘Ｍｎ２’，‘Ｃ２’とに基づいて決定される。
第２の関数（式（４））は、つまみ５０１の回転角を実際に‘Ｐ３’，‘Ｐ４’に合わせたときに発生する信号Ｓ１の値‘Ｃｐ２’，‘Ｍｘ１’と、既定の値‘Ｃ２’‘Ｍｘ２’とに基づいて決定される。
【００５８】
このようなキャリブレーションによって決定される第１の関数および第２の関数の情報（直線関数の傾きと切片など）は、例えば製造時などにおいて記憶部３０に予め書き込まれる。信号変換部４０４は、この関数の情報に基づいて、信号Ｓ１から信号Ｓ２への変換を行う。
【００５９】
以上説明したように、本実施形態によれば、つまみ５０１の回転に応じて変化する信号Ｓ１が、可変抵抗器４０１等を用いて生成される。また、つまみ５０１の回転角が所定の範囲（Ｐ２〜Ｐ３）にあるとき、つまみ５０１の回転操作に対する負荷の不連続な変化（クリック）が発生する。そして、信号Ｓ１は、クリックが発生しない回転角の範囲（Ｐ１〜Ｐ２，Ｐ２〜Ｐ４）において、つまみの回転操作に応じて変化する信号Ｓ２に変換され、クリックが生じる回転角の範囲（Ｐ２〜Ｐ３）においては、つまみの回転操作に依らず一定値Ｃ２を有する信号Ｓ２に変換される。
これにより、クリックが生じる回転角の範囲（Ｐ２〜Ｐ３）において信号Ｓ１の値が不安定であっても、その変換結果として出力される信号Ｓ２の値を安定に保つことができる。したがって、クリック点の近傍において機器の調整に使用できない不安定な信号が発生するという従来の問題を解消し、クリック点の近傍であってもつまみ５０１の回転角に応じた精度の良い信号を安定に発生することができる。
【００６０】
また、クリックが生じる回転角の範囲（Ｐ２〜Ｐ３）にあそび区間（Ａ３）が存在しても、このあそび区間（Ａ３）における信号Ｓ１のぶれに影響されることなく、常に一定値Ｃ２の信号Ｓ２を出力することができる。したがって、つまみ５０１の微妙な操作を行うことなく、簡単かつ正確にクリック点の信号値Ｃ２を発生することができる。一般に、クリック点の信号値Ｃ２は調整に使用される頻度が高く、また他の点に比べて高い精度が求められるため、本実施形態によれば、機器の調整（例えば表示装置における画質調整）が格段に容易になり、操作性が向上する。
【００６１】
以上、本発明の一実施形態について説明したが、本発明は上記の形態のみに限定されるものではない。
すなわち、当業者は、本発明の技術的範囲またはその均等の範囲内において、上述した実施形態の構成要素に関し、様々な変更、コンビネーション、サブコンビネーション、ならびに代替を行っても良い。
【００６２】
例えば上述の実施形態において、信号変換部４０４は直線関数により信号Ｓ１を信号Ｓ２に変換しているが、本発明はこれに限定されない。すなわち、信号変換部では、直線関数以外の様々な関数を用いて信号の変換を行っても良い。
【００６３】
また上述の実施形態において、信号変換部４０４は、数式で表現された関数に基づいて数値計算を行うことにより信号の変換を行っているが、本発明はこれに限定されない。例えば、信号Ｓ１の値と信号Ｓ２の値とを一対一に対応付ける変換テーブルを用意し、これを参照しながら信号Ｓ１から信号Ｓ２への変換を行っても良い。
【００６４】
信号変換部４０４はハードウェアによって構成しても良いし、これと同等の機能をコンピュータによってソフトウェア的に実現しても良い。後者の場合、信号変換部４０４の機能は、制御部１０のコンピュータを用いて実現しても良い。
【００６５】
上述の実施形態では、つまみの回転に応じて変化する信号を発生する調整装置の例を挙げているが、本発明はこれに限定されない。例えばつまみを直線的にスライドさせる方式などでも良く、本発明におけるつまみの操作の形態は任意である。
【００６６】
上述の実施形態では、クリックを発生させるために２つの段差部（５０５Ａ，５０５Ｂ）を設けているが、本発明はこれに限定されない。すなわち、段差部の数は１つ以上の任意の数にすることが可能である。
【図面の簡単な説明】
【００６７】
【図１】本発明の実施形態に係る表示装置を正面から見た場合の外観の一例を示す図である。
【図２】本発明の実施形態に係る表示装置の構成の一例を示す図である。
【図３】本発明の実施形態に係る調整装置としての回転式ボリュームの一構成例を示す図である。
【図４】図３に示す回転式ボリュームの機械的な構造の一例を示す図である。
【図５】図４において、摺動部と段差部に関わる部分を拡大して示した図である。
【図６】つまみの回転操作に対する負荷の不連続な変化が発生する範囲の一例を図解した図である。
【図７】信号変換部において信号を変換する関数の一例を示す図である。
【図８】一般的なクリック機構付きの回転式ボリュームにおいて出力信号を変換する関数の一例を示す図である。
【符号の説明】
【００６８】
１…表示装置、２…画面、３…電源スイッチ、４…操作キー群、５Ａ〜５Ｄ，５０１…つまみ、１０…制御部、２０…画像表示部、３０…記憶部、４０…操作部、５０…インターフェース部、４０１…可変抵抗器、４０２…定電圧電源、４０３…アナログ−デジタル変換器、４０４…信号変換部、５０２…基板、５０３Ａ…基板５０２の表面（摺動面）、５０４…摺動部、５０５…凹部、５０５Ａ，５０５Ｂ…段差部
【図１】
2006295052.tif 000003
【図２】
2006295052.tif 000004
【図３】
2006295052.tif 000005
【図４】
2006295052.tif 000006
【図５】
2006295052.tif 000007
【図６】
2006295052.tif 000008
【図７】
2006295052.tif 000009
【図８】
2006295052.tif 000010